(57)【特許請求の範囲】
【請求項１】
カウンター等取付基体の傾斜した取付面に対して水栓設備を構成する水栓器具を着座させ、その状態で該取付基体の取付孔において該水栓器具をねじ締結具により締め付けて固定する水栓器具の取付構造であって、
前記取付基体の裏面に水平な被締付面を有するスペーサ部を一体に形成し、該被締付面に対して前記ねじ締結具の締付力を及ぼすようになしたことを特徴とする水栓器具の取付構造。
【請求項２】
請求項１において、前記水栓器具が吐水部であることを特徴とする水栓器具の取付構造。
【請求項３】
請求項２において、前記吐水部が、ホースとともに昇降可能な吐水ヘッドと、該吐水ヘッドを保持するホルダとを含んでいるとともに、前記取付基体に固定された筒部材内に且つ前記吐水ヘッドとともに昇降摺動可能に挿通されたスライド管とを含んでいることを特徴とする水栓器具の取付構造。
【発明の詳細な説明】
【０００１】
【発明の属する技術分野】
この発明は水栓設備を構成する水栓器具、特に吐水部の取付けに適用して好適な水栓器具の取付構造に関する。
【０００２】
【従来の技術】
従来、可撓性のホースとともに引出し可能なシャワーヘッド（吐水ヘッド）を有し、カウンター等取付基体上に突出する状態で設けられた吐水部と、取付基体上に突出する状態で設けられた水栓本体とを有し、シャワーヘッドに接続されたホースが取付基体の下側空間を延びて水栓本体に接続された形態のシャワー水栓設備が公知である。
【０００３】
図４はその一例を示したものである。
この図において２００はシャワー水栓設備における吐水部で、取付基体としてのカウンター２０２の上面に起立する状態で設けられている。
吐水部２００はシャワーヘッド２０４と、これを保持する湾曲形状の管状のホルダ２０６と、それらをカウンター２０２に取り付けるための台座ユニット２１４とを有している。
【０００４】
シャワーヘッド２０４は、その先端下面に吐水口２１０を有しており、その吐水口２１０から整流吐水又はシャワー吐水を行うようになっており、更にその前面には整流吐水からシャワー吐水に若しくはその逆に切替操作するための操作部２１２を有している。
このシャワーヘッド２０４には可撓性のホース２０８が接続されており、そのホース２０８とともにシャワーヘッド２０４がホルダ２０６から引出し可能とされている。
【０００５】
台座ユニット２１４はカウンター２０２の上面、即ち取付面２１８上に着座する台座２１６と、この台座２１６から取付孔２１９を下向きに挿通した円筒部材２２０と、その円筒部材２２０の外周面の雄ねじに螺合された締付ナット２２２とを有しており、それら台座２１６と締付ナット２２２とが三角パッキン２２４を介してカウンター２０２を上下両側から挟み込む状態にカウンター２０２に固定されている。
【０００６】
吐水部２００は、上記ホルダ２０６から下向きに延び出したスライド管２２６を有している。
このスライド管２２６はホルダ２０６とともに昇降する部材であって、図５に示しているように台座ユニット２１４における円筒部材２２０内に昇降摺動可能に挿通されている。
そして更にこのスライド管２２６内に上記ホース２０８が移動可能に挿通されている。
【０００７】
２２７は吐水部２００と離隔した位置において且つ取付孔２２８において、三角パッキン２２４によるシール状態で締付ナット２２２によりカウンター２０２に取り付けられた水栓本体で、混合部２３０とハンドル２３２とを有している。
【０００８】
２３４はその水栓本体２２７に対して水，湯を供給するサプライ管で、これらサプライ管２３４を通じて供給された水と湯とが水栓本体２２７で混合され、流出管２３６を通じて流出する。そしてこの流出管２３６に接続されたホース２０８を通じてその混合水がシャワーヘッド２０４へと導かれる。
【０００９】
ところでカウンター２０２上面、特に吐水部２００近傍に降りかかった水を洗面ボウルやシンク等の水槽に流れ落ちるようにするために、カウンター２０２の一部を傾斜させ、その傾斜部に対して吐水部２００を取り付けるといったことが行われている。
この場合、吐水部２００をカウンター２０２の取付面２１８に対して相対的に傾いた状態に取り付けることとなる。そのための取付構造の一例が図６に示してある。
【００１０】
ここではカウンター２０２の裏側にスペーサ２３８を介設し、そのスペーサ２３８の着座面２４２及び台座２１６の着座面２４０のそれぞれを、スペーサ２３８及び台座２１６の軸心に対してカウンター２０２の傾斜角度に対応した角度の傾斜面となし、それら着座面２４２，２４０をカウンター２０２の裏面２４４及び取付面２１８に着座させた状態で、台座２１６と締付ナット２２２とによりスペーサ２３８を介してカウンター２０２を表裏両側から挟み込むようにして台座ユニット２１４の取付け、即ち吐水部２００の取付けを行うようにしている。
【００１１】
【発明が解決しようとする課題】
しかしながらこのようにして吐水部２００の取付けを行った場合、円筒部材２２０外周面の雄ねじと締付ナット２２２との締付力がカウンター２０２の取付面２１８に対して直角方向に働かず、これに対して相対的に傾いた方向に働くこととなる。
このためその締付力に起因して、即ちその締付力の分力によって台座２１６及びスペーサ２３８に対し図中矢印で示す方向にこれをスライドさせようとする力が作用する。
【００１２】
ここで台座２１６は、弾性を有するパッキン２１７を介して取付面２１８に押し付けられることとなるため、パッキン２１７の弾性変形に基づく大きな摩擦力によって台座２１６のスライド移動はある程度抑制されるものの、スペーサ２３８についてはカウンター２０２の裏面２４４との間にそのような弾性を有するパッキンは介在しておらず、そのため上記締付力の分力によってスペーサ２３８が裏面２４４に沿って矢印で示すように上方にスライド移動してしまうといった問題が生ずる。
【００１３】
而してスペーサ２３８がこのようなスライド移動を起こしてしまうと、スライド管２２６に対して締付力が発生してしまい、このためスライド管２２６が円筒部材２２０内部を円滑に昇降摺動できなくなってしまうといった不都合が生ずる。
即ち吐水部２００を円滑に上昇移動及び下降移動させ得なくなってしまうといった不都合が生じる。
【００１４】
以上シャワー水栓設備の吐水部を例にとって説明したが、同様の問題は上記水栓本体の取付けに当って、更には通常の水栓の吐水管や水栓本体の取付けに際しても共通に生じ得る問題である。
【００１５】
【課題を解決するための手段】
本発明の水栓器具の取付構造はこのような課題を解決するために案出されたものである。
而して請求項１のものは、カウンター等取付基体の傾斜した取付面に対して水栓設備を構成する水栓器具を着座させ、その状態で該取付基体の取付孔において該水栓器具をねじ締結具により締め付けて固定する水栓器具の取付構造であって、前記取付基体の裏面に水平な被締付面を有するスペーサ部を一体に形成し、該被締付面に対して前記ねじ締結具の締付力を及ぼすようになしたことを特徴とする。
【００１６】
請求項２のものは、請求項１において、前記水栓器具が吐水部であることを特徴とする。
【００１７】
請求項３のものは、請求項２において、前記吐水部が、ホースとともに昇降可能な吐水ヘッドと、該吐水ヘッドを保持するホルダとを含んでいるとともに、前記取付基体に固定された筒部材内に且つ前記吐水ヘッドとともに昇降摺動可能に挿通されたスライド管とを含んでいることを特徴とする。
【００１８】
【作用及び発明の効果】
上記のように請求項１の取付構造は、水平な被締付面を有するスペーサ部を取付基体の裏面に一体に形成して、その被締付面に対してねじ締結具による締結力を及ぼすようになしたもので、この取付構造においては、ねじ締結具によって水栓器具を取付基体に締結固定する際、そのスペーサ部に対してスライド方向の力が働いたとしても、そのスペーサ部は取付基体に一体形成してあるためスライド移動せず、従って水栓器具を良好に取付基体に対して取付固定することができる。
【００１９】
本発明は、水栓の吐水部の取付けに適用して特に好適であり（請求項２）、特にホースとともに昇降可能な吐水ヘッドと、これを保持するホルダとを含み、そしてその吐水ヘッドとともに昇降可能なスライド管が取付基体に固定の筒部材内に摺動可能に挿通された形態の吐水部の取付けに適用して好適である（請求項３）。
【００２０】
【実施例】
次に本発明をシャワー水栓設備における吐水部の取付けに適用した場合の実施例を図面に基づいて詳しく説明する。
図１において、１０はシャワー水栓設備における吐水部（水栓器具）で、１２はその取付基体としてのカウンターである。
カウンター１２は、吐水部１０の取付面１４及び裏面１６がそれぞれ水平面に対して傾斜しており、更にその後端には下向きに立ち下がる垂下部１８を有している。
吐水部１０は、ホルダ２０と、吐水ヘッドとしてのシャワーヘッド２２と、それらをカウンター１２に取り付けるための台座ユニット２４とを有している。
【００２１】
ホルダ２０は湾曲した管状をなしており、またシャワーヘッド２２は先端下面に吐水口２６を備え、更にその吐水口２６からの吐水を整流吐水からシャワー吐水に若しくはその逆に切り替えるための操作部２８を前面に備えている。
このシャワーヘッド２２には可撓性のホース３０が接続されており、シャワーヘッド２２がこのシャワーホース３０とともにホルダ２０から引出し可能とされている。
【００２２】
吐水部１０は、ホルダ２０を含む上側の部分が下降位置と上昇位置との間で昇降可能とされている。
このホルダ２０からはスライド管３２が下向きに延び出しており、ホルダ２０及びシャワーヘッド２２とともにこのスライド管３２が一体に昇降するようになっている。
【００２３】
上記ホース３０はこれらホルダ２０及びスライド管３２を挿通して延びており、シャワーヘッド２２とは反対側の他端が図示を省略する水栓本体に接続されている。
尚、スライド管３２の下端にはスライド管３２の抜け防止のためのストッパ３４が固設されている。
【００２４】
上記台座ユニット２４は、カウンター１２の表側に位置する台座３６と、この台座３６からカウンター１２の取付孔３８を挿通して下向きに延び出した雄ねじ管４０と、その雄ねじ管４０に螺合された締付ナット４２とを有しており、それら台座３６と締付ナット４２とが後述のスペーサ部４６を介してカウンター１２を表裏両側から挟み付ける状態でカウンター１２に固定されている。
【００２５】
そしてこれら台座３６，雄ねじ管４０を含む台座ユニット２４によって吐水部１０が、厳密にはホルダ２０の下部以下の部分がほぼ垂直に起立する状態でカウンター１２に取付固定されている。
尚、台座３６の下面は台座３６の軸心に対してカウンター１２の傾斜角度に対応した角度で傾斜した着座面４４とされており、この着座面４４が図２に示すようにシール用の平パッキン４８を介して取付面１４に着座した状態で台座３６がカウンター１２に固定されている。
【００２６】
図２に示しているように、スライド管３２は上端部に大径部５０を有しており、その大径部５０がホルダ２０にねじ結合されている。
詳しくは大径部５０の外周面には雄ねじ５２が形成され、また一方ホルダ２０の内周面には雌ねじ５４が形成されていて、それら雄ねじ５２と雌ねじ５４とがねじ結合され、これによってスライド管３２がホルダ２０と一体に昇降するようになっている。
【００２７】
一方ホルダ２０の下側の台座３６には、上記雄ねじ管４０がねじ結合されている。
詳しくは、台座３６にはその内周面に雌ねじ５６が形成され、その雌ねじ５６に対して雄ねじ管４０の外周面の雄ねじ５８が螺合されている。
【００２８】
他方カウンター１２には、その裏面１６に筒状のスペーサ部４６が下向きに突出する状態で一体に形成されている。
このスペーサ部４６の下面は水平な被締付面６０とされている。
上記雄ねじ管４０は、カウンター１２の取付孔３８を挿通して下向きに突き出しており、そしてスペーサ部４６の下側においてその雄ねじ管４０に対し締付ナット４２が螺合され、その締付力をスペーサ部４６の水平な被締付面６０に及ぼしている。
【００２９】
上記平パッキン４８は、雄ねじ管４０と締付ナット４２との締付力によって弾性圧縮変形し、台座３６と取付面１４との間を水密にシールするとともに、その弾性圧縮に基づく摩擦力により台座３６の取付面１４に対するスライド移動を抑制している。
尚、図２中６２はスライド管３２と台座３６との間を水密にシールするＵパッキンである。
【００３０】
本例の取付構造によれば、雄ねじ管４０に対し締付ナット４２を螺合することにより吐水部１０をカウンター１２に締結固定する際、そのスペーサ部４６に対してスライド方向の力が働いたとしても、そのスペーサ部４６はカウンター１２に固定状態とされているためスライド移動せず、従って吐水部１０を良好にカウンター１２に対して取付固定することができる。
【００３１】
以上本発明の実施例を詳述したがこれはあくまで一例示であり、本発明はシャワー水栓設備における水栓本体の取付けに際して適用することも可能であるなど、その主旨を逸脱しない範囲において種々変更を加えた形態で構成可能である。
【図面の簡単な説明】
【図１】  本発明の一実施例の取付構造を示す図である。
【図２】  図１の取付構造の要部を拡大して示す断面図である。
【図３】  図１及び図２の取付構造を各部材に分解して示す図である。
【図４】  シャワー水栓設備における吐水部の従来の取付構造の一例を示す図である。
【図５】  図４の取付構造の要部を拡大して示す断面図である。
【図６】  吐水部の従来の取付構造の図４，図５とは異なる例を示す図である。
【符号の説明】
１０  吐水部
１２  カウンター
１４  取付面
１６  裏面
２０  ホルダ
２２  シャワーヘッド（吐水ヘッド）
３０  ホース
３２  スライド管
３８  取付孔
４０  雄ねじ管（ねじ締結具）
４２  締付ナット（ねじ締結具）
４４  着座面
４６  スペーサ部
６０  被締付面
【図１】
0003689299.tif 000002
【図２】
0003689299.tif 000003
【図３】
0003689299.tif 000004
【図４】
0003689299.tif 000005
【図５】
0003689299.tif 000006
【図６】
0003689299.tif 000007